(57)【要約】【課題】パネルに揺動自在に配置して丈の高い容器を保持することができ、しかもパネルの開口部の上下方向の長さを小さくする。【解決手段】ホルダ部材２は腕部２２がガイド部１２に案内されることで揺動し、使用位置ではホルダ部材２が略水平となって容器を保持し収納位置ではホルダ部材２の表面がパネル　１００の表面の一部を形成し、ホルダ部材２の仮想揺動中心Ｐが収納位置におけるホルダ部材２の下端より下方に位置するようにした。パネルの開口部　１０１の上下方向の長さを小さくしつつ、使用位置ではホルダ部材２を十分に下方に位置させることができる。【選択図】　図２
2004090754.tif 000002
【特許請求の範囲】
【請求項１】
車両のパネルと、該パネルの開口内部に形成された円弧状のガイド部と、容器の底と外周部を支持する筒状部と該ガイド部に案内される円弧状の腕部とをもつホルダ部材と、よりなり、
該ホルダ部材は該腕部が該ガイド部に案内されることで揺動し、使用位置では該ホルダ部材が略水平となって容器を保持し収納位置では該ホルダ部材の表面が該パネルの表面の一部を形成し、該腕部及び該ガイド部の形状で規定される該ホルダ部材の仮想揺動中心が該収納位置における該ホルダ部材の下端より下方に位置することを特徴とするカップホルダ装置。
【請求項２】
前記パネルには、前記ホルダ部材の前記収納位置で前記筒状部に収納される箱部材が出入可能に保持されている請求項１に記載のカップホルダ装置。
【請求項３】
車両のパネルと、該パネルの開口に揺動自在に軸支され使用位置では容器の底を受け収納位置では表面が該パネルの表面の一部を形成する受け部材と、該受け部材に揺動自在に軸支され使用位置において該パネルへ向かって延びる延出部と、該延出部から突出し使用位置では略水平となって容器の外周を支持する支持部材と、よりなり、
該延出部は軸支位置と反対側にガイドピンが突設され、該パネルの開口内部には該ガイドピンが係合して案内されるガイド溝が形成され、該ガイドピンが該ガイド溝に案内されることで該支持部材の先端の揺動軌跡が該受け部材の先端の揺動軌跡より内周側となるように構成されたことを特徴とするカップホルダ装置。
【請求項４】
前記パネルには、前記支持部材の揺動軌跡内に前記支持部材の開口を通過可能な箱部材が出入可能に保持されている請求項３に記載のカップホルダ装置。
【発明の詳細な説明】
【０００１】
【発明の属する技術分野】
本発明は、自動車の室内パネルに揺動自在に設けられた格納式のカップホルダ装置に関する。
【０００２】
【従来の技術】
自動車の室内には、コップや缶ジュースなどの容器を保持するためのカップホルダが設けられている。このカップホルダは、不使用時には邪魔になるものであるため、使用時のみに引き出す格納式のものが多い。
【０００３】
例えば特開平０９−１０９７６３号公報には、ダッシュボードに揺動自在に設けられたカップホルダが開示されている。このカップホルダは、表面形状がダッシュボードの曲面形状の一部を構成する形状とされた保持プレートの裏面側にホルダ本体が保持され、保持プレートの一端がダッシュボードに揺動自在に軸支されている。そして保持プレートを揺動させてダッシュボードから引き出し略水平とすれば、ホルダ本体に容器を保持しカップホルダとして用いることができる。また不使用時には保持プレートを揺動させてホルダ本体をダッシュボード内に格納すれば、保持プレートの表面がダッシュボードの一部表面を構成する。したがって不使用時にはホルダ本体が車室内に突出することがなく、車室内を広く使用することができる。
【０００４】
さらにこの公報には、ホルダ本体にカバー部材を回動可能に軸支し、不使用時にはカバー部材をホルダ本体の上を覆うようにして格納し、カップホルダの使用時にカバー部材を反転しホルダ本体の前方へ突出させて載置台などとして使用することが記載されている。
【０００５】
また特開平０６−０２４２６６号公報には、収納凹部に揺動自在に軸支された蓋部材を容器の底を保持する保持部材として用い、蓋部材の軸支部から延設された支持体の他端にアームを回動可能に軸支し、そのアームの他端にカップ保持体を設けた格納式カップホルダが開示されている。このようにしても、不使用時にはホルダ本体が車室内に突出することがなく、車室内を広く使用することができる。
【０００６】
【特許文献１】特開平０９−１０９７６３号公報、図１，４、１〜４頁
【特許文献２】特開平０６−０２４２６６号公報、図３、１〜３頁
【０００７】
【発明が解決しようとする課題】
近年、　５００ｍｌペットボトルなど丈の高い飲料容器が増加している。自動車のカップホルダにこのような容器を保持する場合には、容器の底を受ける受け部材の位置から容器の高さ分のスペースが必要となる。そのためインストルメントパネルなどから出入するカップホルダの場合には、インストルメントパネルが足元ほど奥に入り込む曲面形状であるために、このスペースを確保することが困難となる場合がある。
【０００８】
上記公報に開示されているような、インストルメントパネルなどのパネルに揺動自在に配置されたカップホルダでは、パネルに形成される開口部の面積は小さい方が見映えがよく好ましい。しかし丈の高い容器をパネルとの干渉を避けて保持できるようにするためには、容器の底を受ける受け部材のパネルからの突出長さを長くしなければならず、そうするとパネルに形成される開口部の上下方向の長さも長くなってしまう。インストルメントパネルの上下方向の長さには限界があり、その内部には種々の装備が配置されるため、カップホルダを設けることができない場合もあった。
【０００９】
また自動車のパネルには灰皿や小物入れなどが配置される場合が多いが、カップホルダの下方に灰皿などを配置すると、カップホルダの使用時には灰皿などを使用することはできない。また特開平０９−１０９７６３号公報に記載されたカバー部材を灰皿などとして使用することも可能であるが、ホルダ本体からさらに突出しているため車室内が狭くなるという不具合がある。
【００１０】
本発明はこのような事情に鑑みてなされたものであり、パネルに揺動自在に配置して丈の高い容器を保持することができ、しかもパネルの開口部の上下方向の長さを小さくすることを主たる目的とする。また本発明のもう一つの目的は、カップホルダとしての使用時に、ホルダ本体が収納されていたパネル内の空間を有効に利用できるようにすることにある。
【００１１】
【課題を解決するための手段】
上記課題を解決する本発明のカップホルダ装置の特徴は、車両のパネルと、パネルの開口内部に形成された円弧状のガイド部と、容器の底と外周部を支持する筒状部とガイド部に案内される円弧状の腕部とをもつホルダ部材と、よりなり、ホルダ部材は腕部がガイド部に案内されることで揺動し、使用位置ではホルダ部材が略水平となって容器を保持し収納位置ではホルダ部材の表面がパネルの表面の一部を形成し、腕部及びガイド部の形状で規定されるホルダ部材の仮想揺動中心が収納位置におけるホルダ部材の下端より下方に位置することにある。
【００１２】
このカップホルダ装置において、パネルには、ホルダ部材の収納位置で筒状部に収納される箱部材が出入可能に保持されていることが望ましい。
【００１３】
またもう一つの発明のカップホルダ装置の特徴は、車両のパネルと、パネルの開口に揺動自在に軸支され使用位置では容器の底を受け収納位置では表面がパネルの表面の一部を形成する受け部材と、受け部材に揺動自在に軸支され使用位置においてパネルへ向かって延びる延出部と、延出部から突出し使用位置では略水平となって容器の外周を支持する支持部材と、よりなり、
延出部は軸支位置と反対側にガイドピンが突設され、パネルの開口内部にはガイドピンが係合して案内されるガイド溝が形成され、ガイドピンがガイド溝に案内されることで支持部材の先端の揺動軌跡が受け部材の先端の揺動軌跡より内周側となるように構成されたことにある。
【００１４】
このカップホルダ装置において、パネルには、支持部材の揺動軌跡内に支持部材の開口を通過可能な箱部材が出入可能に保持されていることが望ましい。
【００１５】
【発明の実施の形態】
本発明の一つのカップホルダ装置では、ホルダ部材はパネルの開口内部に形成された円弧状のガイド部に案内される円弧状の腕部をもち、腕部がガイド部に案内されることでホルダ部材は揺動自在にパネルに保持されている。そしてホルダ部材は、使用位置では略水平となって筒状部に容器を保持し、収納位置ではホルダ部材がパネルの開口部を塞ぎその表面がパネルの表面一部を形成する。
【００１６】
さらにこのカップホルダ装置では、腕部及びガイド部の形状で規定されるホルダ部材の仮想揺動中心が、収納位置におけるホルダ部材の下端より下方に位置している。したがって使用位置ではホルダ部材は十分に下方に位置することができ、丈の高い容器を保持することができるとともに、パネルの開口の上下方向の長さを小さくすることができる。
【００１７】
このカップホルダ装置において、パネルの開口内部には、ホルダ部材の収納位置で筒状部に収納される箱部材が出入可能に保持されていることが望ましい。このようにすればホルダ部材が使用位置にある時に、箱部材を灰皿、小物入れなどとして使用することができ、カップホルダと箱部材を同時に使用することが可能となる。さらに箱部材の車室内への突出長さもホルダ部材の突出長さより小さくできるので、箱部材が邪魔になることがない。
【００１８】
なおガイド部はパネルの開口内部に直接的に形成してもよいし、パネルとは別に形成されたケース部材にガイド部を形成し、そのケース部材をパネルに固定することで、パネルの開口内部に間接的に形成することもできる。
【００１９】
また本発明のもう一つのカップホルダ装置では、パネルの開口に揺動自在に軸支された受け部材に揺動自在に軸支され使用位置においてパネルへ向かって延びる延出部と、延出部から突出し使用位置では略水平となって容器の外周を支持する支持部材とを有し、延出部は軸支位置と反対側にガイドピンが突設され、パネルの開口内部にはガイドピンが係合して案内されるガイド溝が形成されている。
【００２０】
したがって受け部材の揺動時には、ガイドピンがガイド溝に案内されることで支持部材の揺動軌跡は受け部材の揺動軌跡と異なるものとなり、本発明では、支持部材の先端の揺動軌跡が受け部材の先端の揺動軌跡より内周側となるように構成されている。これにより使用位置において支持部材が受け部材より長く車室内に突出しているように構成すれば、パネルとの干渉を回避して丈の高い容器を保持することができ、かつ揺動時に支持部材の先端の揺動軌跡が受け部材の先端の揺動軌跡より内周側となるため、パネルの開口の上下方向の長さを小さくすることができる。
【００２１】
支持部材は容器の外周を支持するものであるので、容器の断面積相当の開口を有している。したがってこのカップホルダ装置においては、パネルの開口内部には、支持部材の揺動軌跡内に支持部材の開口を通過可能な箱部材が出入可能に保持することができる。このようにすれば受け部材の揺動時に支持部材と箱部材との干渉を回避することができ、かつ受け部材及び支持部材が使用位置にある時に、箱部材を灰皿、小物入れなどとして使用することができるので、カップホルダと箱部材を同時に使用することが可能となる。さらに箱部材の車室内への突出長さもホルダ部材の突出長さより小さくできるので、箱部材が邪魔になることがない。
【００２２】
なおガイド溝は、パネルの開口内部に直接的に形成してもよいし、パネルとは別に形成されたケース部材にガイド溝を形成し、そのケース部材をパネルの開口内部に固定することで、パネルの開口内部に間接的に形成することもできる。
【００２３】
【実施例】
以下、実施例により本発明を具体的に説明する。
【００２４】
（実施例１）
図１〜図３に本実施例のカップホルダ装置を示す。このカップホルダ装置は、自動車のインストルメントパネル　１００に形成された開口　１０１内に固定されたケース部材１と、ケース部材１に揺動自在に保持されたホルダ部材２と、ケース部材１に保持された灰皿装置３とから構成されている。
【００２５】
ケース部材１は断面略コ字形状に形成され、互いに対向する一対の側壁１０の先端には断面Ｌ字状に曲折されたフランジ部１１が形成されている。このフランジ部１１がインストルメントパネル　１００に固定される。また一対の側壁１０の互いに対向する表面には、それぞれ円弧状のガイド部１２が形成されている。ガイド部１２は互いに平行な２本のレール１３からなり、２本のレール１３の間に円弧状に延びる溝１４が形成され、溝１４の先端が側壁１０の端部に開口している。側壁１０の端部には２本のレール１３の上端を連結する橋部１５が溶着固定されている。つまり側壁１０の端部には、側壁１０，２本のレール１３及び橋部１５で囲まれた溝１４の開口が形成されている。
【００２６】
ガイド部１２のレール１３はそれぞれ真円の円弧状に形成され、等間隔の同心円形状とされている。したがって溝１４は、幅及び深さ一定の真円の円弧状となっている。
【００２７】
ホルダ部材２は、板状部２０と、板状部２０の一端に肉厚に形成された筒状部２１と、板状部２０の他端から突出して延びる一対の円弧状の腕部２２とから構成されている。筒状部２１及び腕部２２が形成されている表面と反対側の板状部２０の表面は、インストルメントパネル　１００の表面と同一材質及び同一色調に形成されている。筒状部２１には３つの穴部２３が形成され、それぞれ容器の底と外周部を支持可能に構成されている。
【００２８】
腕部２２は板状部２０の幅方向の両端からそれぞれ円弧状に延びて突出し、先端には互いに対向する凸部２４が形成されている。腕部２２はケース部材１の溝１４と同一形状の真円の円弧状に形成され、溝１４内を摺動可能とされている。
【００２９】
このホルダ部材２は、先ず橋部１５が無い状態で腕部２２が溝１４内に係合され、その後橋部１５が２本のレール１３溶着固定される。これにより腕部２２が溝１４に案内されることで、ホルダ部材２がケース部材１に揺動可能に保持されている。また橋部１５に腕部２２の凸部２４が係合するため、腕部２２が溝１４から脱落することもない。
【００３０】
灰皿装置３は、ケース部材１の上部に固定されたブラケット３０と、ブラケット３０に吊支された筒状のケース３１と、ケース３１に出入可能に収納されケース部材１の開口側へ向かう灰皿３２とから構成されている。灰皿３２は、図示しないプッシュロックオープン機構と共にケース３１に保持されている。さらにケース３１及び灰皿３２の外径は、ホルダ部材２の筒状部２１に形成された穴部２３より一回り小さく形成されている。
【００３１】
上記のように構成された本実施例のカップホルダ装置の作用を以下に説明する。先ず図２に示すカップホルダとしての使用位置では、橋部１５に腕部２２の凸部２４が係合することでホルダ部材２の下方への揺動が規制されている。その状態で穴部２３は略鉛直方向に延び、穴部２３にペットボトルなどの容器　２００を保持することができる。
【００３２】
またこの状態では、インストルメントパネル　１００の開口　１０１には灰皿装置３の灰皿３２の表面が表出しているので、それを指で押すことによって図示しないプッシュロックオープン機構が作動し、灰皿３２がケース３１から前進する。したがってカップホルダとして使用しながら、同時に灰皿３２も使用することができる。
【００３３】
カップホルダ装置を収納する場合には、容器　２００を除去するとともに灰皿３２をケース３１内に収納し、ホルダ部材２をインストルメントパネル　１００の開口　１０１に向かって揺動させる。すると腕部２２が溝１４内を移動することでホルダ部材２が揺動する。この時ホルダ部材２は、溝１４及び腕部２２の周率で決まる仮想揺動中心Ｐを中心として揺動し、ホルダ部材２の先端の揺動軌跡は図２の点線で示す円弧状となる。そして図３に示すように板状部２０の表面がインストルメントパネル　１００の表面と面一となった時点で、図示しないプッシュロックオープン機構によってホルダ部材２がケース部材１に保持される。
【００３４】
仮想揺動中心Ｐは、この収納位置におけるホルダ部材２の下端より下方に位置し、ホルダ部材２の先端の揺動軌跡の半径はホルダ部材２の上下方向の長さより長い。つまりインストルメントパネル　１００の開口　１０１の上下方向の長さは、ホルダ部材２の先端の揺動軌跡の半径より小さいので、本実施例のカップホルダ装置はインストルメントパネル　１００の内部に配置される機器との干渉を避けることができ、配置位置の自由度が高い。
【００３５】
さらにこの収納位置では、一つの穴部２３にケース３１及び灰皿３２が入るので、ホルダ部材２が灰皿装置３と干渉するような不具合がなく、ホルダ部材２がインストルメントパネル　１００の一部を形成する。したがって灰皿装置３が表出しないので、見映えがよい。
【００３６】
そして再びホルダ部材２又は灰皿装置３を使用する場合には、ホルダ部材２の表面を指で押圧する。すると図示しないプッシュロックオープン機構が作動してホルダ部材２が車室内へ向かって揺動し、橋部１５に腕部２２の凸部２４が係合することでホルダ部材２の下方への揺動が規制される。このときホルダ部材２は仮想揺動中心Ｐを中心として揺動するので、ホルダ部材２は現実の上下方向の長さより長い半径で揺動する。したがって使用位置におけるホルダ部材２の位置を十分に低くでき、図２に示すように、ペットボトルなどの丈の高い容器でもインストルメントパネル　１００と干渉することなく保持することができる。
【００３７】
すなわち本実施例のカップホルダ装置によれば、インストルメントパネル　１００の開口　１０１の上下方向の長さを小さくしつつ、丈の高い容器を保持することができる。したがって収納時の見映えに優れ、使用時には実用的なものとなる。またカップホルダとして使用時に灰皿装置３も同時に使用することができ、便利である。さらに収納時には灰皿装置３が視認されないので見映えがよく、灰皿装置３をシークレットボックスとして用いることもできる。
【００３８】
（実施例２）
図４〜図６に第２の実施例のカップホルダ装置を示す。このカップホルダ装置は、自動車のインストルメントパネル　１００に形成された開口　１０１内に固定されたケース部材１と、ケース部材１に揺動自在に保持された受け部材４と、受け部材４に揺動自在に保持された支持部材５とから構成されている。
【００３９】
ケース部材１は断面略コ字形状に形成され、互いに対向する一対の側壁１０の先端には断面Ｌ字状に曲折されたフランジ部１１が形成されている。このフランジ部１１がインストルメントパネル　１００に固定されている。また一対の側壁１０の互いに対向する表面には、それぞれ円弧状のガイド溝１６と、軸受け部１７が形成されている。
【００４０】
受け部材４の一端には、容器の外周面の一部と底とを支持する段状の３つの容器支持部４０が形成されている。また受け部材４の他端には、貫通孔をもつ軸支部４１が幅方向の両端にそれぞれ形成されている。容器支持部４０と軸支部４１の中間には、貫通孔をもつブラケット４２が幅方向の両端にそれぞれ形成されている。軸支部４１が軸受け部１７にピンで軸支されることで、受け部材４はケース部材１に揺動自在に保持されている。そして容器支持部４０、軸支部４１及びブラケット４２が形成されている表面と反対側の表面は、インストルメントパネル　１００の表面と同一材質及び同一色調に形成され、開口　１０１内に入った収納位置ではインストルメントパネル　１００の表面の一部を構成する。
【００４１】
支持部材５は、３つのホルダ穴５１をもつ板状部５０と、板状部５０のホルダ穴５１と反対側の端部の幅方向の両端から突出し円弧状に延びる一対の延出部５２とからなり、延出部５２の下端がピンにてブラケット４２に軸支されることで受け部材４に揺動自在に保持されている。そして延出部５２の先端には、それぞれ外側へ突出するガイドピン５３が形成され、ガイドピン５３がガイド溝１６に係合している。
【００４２】
上記のように構成された本実施例のカップホルダ装置の作用を以下に説明する。先ず図５に示すカップホルダとしての使用位置では、ガイドピン５３がガイド溝１６の上端部に係合することで支持部材５及び受け部材４の下方への揺動が規制されている。その状態でホルダ穴５１は略鉛直方向に延びてそれぞれ容器支持部４０の上方に位置し、板状部５０の先端は容器支持部４０の先端より車室内へ長く突出しているので、ホルダ穴５１と容器支持部４０とでペットボトルなどの容器　２００を保持することができる。
【００４３】
カップホルダ装置を収納する場合には、容器　２００を除去し、受け部材４をインストルメントパネル　１００の開口　１０１に向かって揺動させる。するとガイドピン５３がガイド溝１６に案内されて移動することで、支持部材５が受け部材４に対して揺動する。この時受け部材４先端の揺動軌跡は、図５に点線で示すように軸支部４１を中心とする真円の円弧状となる。一方、支持部材５の板状部５０先端の揺動軌跡は、ガイドピン５３がガイド溝１６に案内されて移動するために、図５に一点鎖線で示すように、受け部材４先端の揺動軌跡と交差して内側へ入る。そして図６に示すように受け部材４の表面がインストルメントパネル　１００の表面と面一となった時点で、図示しないプッシュロックオープン機構によって受け部材４がケース部材１に保持される。
【００４４】
したがって使用位置では支持部材５が受け部材４より車室内へ突出しているが、揺動時には支持部材５の先端の揺動軌跡が受け部材４の先端の揺動軌跡より内周側となるために、インストルメントパネル　１００の開口　１０１の上下方向の長さを小さくすることができる。これにより本実施例のカップホルダ装置は、インストルメントパネル　１００の内部に配置される機器との干渉を避けることができ、配置位置の自由度が高い。
【００４５】
そして再び受け部材４及び支持部材５を使用する場合には、受け部材４の表面を指で押圧する。すると図示しないプッシュロックオープン機構が作動して受け部材４が車室内へ向かって揺動し、ガイドピン５３がガイド溝１６に案内されることで支持部材５が受け部材４に対して揺動する。これにより支持部材５の先端の揺動軌跡が受け部材４の先端の揺動軌跡に交差して受け部材４の先端の揺動軌跡より外側となり、使用位置における支持部材５の板状部５０が車室内に大きく突出するとともに、受け部材４の位置を十分に低くできる。そのため図５に示すように、ペットボトルなどの丈の高い容器でもインストルメントパネル　１００と干渉することなく保持することができる。
【００４６】
すなわち本実施例のカップホルダ装置によれば、インストルメントパネル　１００の開口　１０１の上下方向の長さを小さくしつつ、丈の高い容器を保持することができる。したがって収納時の見映えに優れ、使用時には実用的なものとなる。
【００４７】
なお本実施例の他の態様として、図６に点線で示すように、板状部５０の揺動軌跡に沿いホルダ穴５１より径の小さな円弧状の箱部材６をケース部材１に固定することもできる。このようにすれば、支持部材５の揺動時には箱部材６が一つのホルダ穴５１内を通り抜けることができるので、支持部材５が箱部材６と干渉することがなく、カップホルダとして使用しながら、同時に箱部材６も使用することができる。さらに収納時には箱部材６が視認されないので見映えがよく、箱部材６をシークレットボックスとして用いることもできる。
【００４８】
【発明の効果】
すなわち本発明のカップホルダ装置によれば、インストルメントパネルなどのパネルに揺動自在に配置して丈の高い容器を保持することができ、しかもパネルの開口部の上下方向の長さを小さくすることができるので、パネル内部に配置される機器との干渉を避けることができ、配置位置の自由度が高い。
【００４９】
またパネルの開口内部に箱部材を配置すれば、カップホルダと箱部材とを同時に使用することが可能であり、収納時には箱部材が表出しないので見映えもよい。
【図面の簡単な説明】
【図１】本発明の一実施例のカップホルダ装置の分解斜視図である。
【図２】本発明の一実施例のカップホルダ装置を使用位置で示す断面図である。
【図３】本発明の一実施例のカップホルダ装置を収納位置で示す断面図である。
【図４】本発明の第２の実施例のカップホルダ装置の分解斜視図である。
【図５】本発明の第２の実施例のカップホルダ装置を使用位置で示す断面図である。
【図６】本発明の第２の実施例のカップホルダ装置を収納位置で示す断面図である。
【符号の説明】
１：ケース部材　　　　　２：ホルダ部材　　　　　３：灰皿装置（箱部材）
４：受け部材　　　　　　５：支持部材　　　　　　６：箱部材
１２：ガイド部　　　　　　２２：腕部　　　　　　　　Ｐ：仮想揺動中心
【図１】
2004090754.tif 000003
【図２】
2004090754.tif 000004
【図３】
2004090754.tif 000005
【図４】
2004090754.tif 000006
【図５】
2004090754.tif 000007
【図６】
2004090754.tif 000008